【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
馬の片麻痺を処置するための装置であって、該装置は、
該片麻痺を処置するために該馬の上気道組織に印加される電気信号を発生するための、ペースメーカープロセッサと、
該電気信号を該上気道組織に送達するために、該上気道組織と接合する１つ以上の刺激電極と、
を備える、装置。
【請求項２】
前記装置の少なくとも一部分は、前記馬に埋め込まれる、請求項１に記載の装置。
【請求項３】
前記装置の前記埋め込まれた部分は、前記馬の外部に置かれる該装置の部分と経皮的にまたは皮膚を通して通信する、請求項２に記載の装置。
【請求項４】
経皮的通信は、電磁誘導、音響エネルギー、光エネルギー、およびコンデンサー結合のうちの、少なくとも１つに基づく、請求項３に記載の装置。
【請求項５】
前記装置の一部分は、該装置の前記埋め込まれた部分に外部信号を提供するために該装置が動作しているときには、前記馬の表面上に一時的に配置される、請求項２に記載の装置。
【請求項６】
前記電気信号は、筋電図、電気眼振計、エレクトログロットグラフ、脳波計、生体電位センサ、超音波センサ、ホールセンサ、マイクロホン、圧力センサ、ひずみ変換器、機械的変形センサ、および運動センサのうちの、少なくとも１つに由来する、請求項２に記載の装置。
【請求項７】
前記埋め込まれた部分は、経皮的にまたは皮膚を通して充電される電源を含む、請求項２に記載の装置。
【請求項８】
前記装置の少なくとも一部分は、前記馬のレース用具に組み込まれる、請求項１に記載の装置。
【請求項９】
前記電気信号は、前記馬の生物学的機能に由来する信号に基づいて、該馬の前記上気道組織に印加される、請求項１に記載の装置。
【請求項１０】
前記電気信号は、二相性波形を使用して前記馬の前記上気道組織に印加される、請求項１に記載の装置。
【請求項１１】
１つ以上の刺激電極は、カフ電極、多極カフ電極、３極カフ電極、平面神経電極、神経鞘電極、シャフト電極、縦方向束内電極、細線電極、微細加工電極、篩電極、およびステープル電極のうちの、少なくとも１つに基づく、請求項１に記載の装置。
【請求項１２】
前記１つ以上の刺激電極は、前記上気道組織の特定域への刺激を引き起こす、異なる活性化が可能である、請求項１に記載の装置。
【請求項１３】
前記上気道組織は、気道構造の１つ以上の神経を含む、請求項１に記載の装置。
【請求項１４】
前記１つ以上の神経は、前記馬の反回喉頭神経を含む、請求項１３に記載の装置。
【請求項１５】
前記上気道組織は、前記反回喉頭神経の外転筋枝の１つ以上の軸索を含む、請求項１４に記載の装置。
【請求項１６】
前記上気道組織は、気道組織と関連する筋肉組織を含む、請求項１に記載の装置。
【請求項１７】
前記筋肉組織は、輪状披裂筋組織を含む、請求項１６に記載の装置。
【請求項１８】
前記輪状披裂筋組織は、後輪状披裂筋組織を含む、請求項１７に記載の装置。
【請求項１９】
前記電気信号は、声帯組織の外転を生成する、請求項１に記載の装置。
【請求項２０】
前記電気信号は、前記装置がオフにされるまで、数時間にわたって連続的に送達される、請求項１に記載の装置。
【請求項２１】
前記装置の動作に関連する少なくとも１つの治療パラメータを感知するための、１つ以上の処置センサをさらに備える、請求項１に記載の装置。
【請求項２２】
前記少なくとも１つの治療パラメータは、馬の気道管の空気流特性、馬の気道組織の収縮特性、前記馬の身体の一部分の電気的特性、該馬の該身体の一部分の温度、該馬の該身体の一部分のｐＨ、該馬の該身体の一部分の化学的成分、および該馬の生理的状態のうちの、少なくとも１つに関する、請求項２１に記載の装置。
【請求項２３】
前記ペースメーカープロセッサの動作を検証可能に監視するための、処置検証モニタをさらに備える、請求項２１に記載の装置。
【請求項２４】
前記少なくとも１つの治療パラメータを記録するための、記録ログをさらに備える、請求項２３に記載の装置。
【請求項２５】
前記処置検証モニタは、前記ペースメーカープロセッサが動作しているときに外部信号を発生する、請求項２３に記載の装置。
【請求項２６】
前記外部信号は、電極で筋肉を刺激することによって達成される、前記馬の筋肉の視認可能な動きを含む、請求項２５に記載の装置。
【請求項２７】
馬の片麻痺を処置するための適応気道処置システムであって、
該処置システムの動作と関連する少なくとも１つの治療パラメータを感知するための、１つ以上の処置センサと、
該少なくとも１つの治療パラメータの関数として電気処置信号を発生することによって、該少なくとも１つの治療パラメータに応じた該片麻痺を処置するための、ペースメーカープロセッサと、
該馬の上気道組織に該処置信号を送達するために、該上気道組織と接合する１つ以上の刺激電極と、
を備える、システム。
【請求項２８】
前記１つ以上の処置センサは、前記馬の上の外部に配置される、請求項２７に記載のシステム。
【請求項２９】
前記１つ以上の処置センサは、前記馬に埋め込まれる、請求項２７に記載のシステム。
【請求項３０】
前記１つ以上の処置センサは、１つ以上のリード線によって前記ペースメーカープロセッサに接続される、請求項２９に記載のシステム。
【請求項３１】
前記１つ以上の処置センサは、前記ペースメーカープロセッサを含む筐体に統合される、請求項２９に記載のシステム。
【請求項３２】
前記処置信号は、前記１つ以上の処置センサ、前記ペースメーカープロセッサ、臨床端末を介したヒトユーザ、前記システムの外部の一部の他の情報源、またはそれらの一部の組み合わせから受信される情報に基づいて、さらに調整可能である、請求項２７に記載のシステム。
【請求項３３】
前記処置信号を送達することは、外部ユーザからの指示に応答して誘起される、請求項２７に記載のシステム。
【請求項３４】
前記少なくとも１つの治療パラメータは、前記１つ以上の刺激電極による前記処置信号の送達の効率と関連する、請求項２７に記載のシステム。
【請求項３５】
前記少なくとも１つの治療パラメータは、声帯機能、前記上気道組織の別のセグメントの機能、および前記馬の体内の一部の他のパラメータのうちの、少なくとも１つと関連する、請求項２７に記載のシステム。
【請求項３６】
前記少なくとも１つの治療パラメータは、圧力、収縮力、空気流率、空気流圧力、空気流量、空気流速度、温度、インピーダンス、ｐＨ、および化学成分のうちの、少なくとも１つを含む、請求項２７に記載のシステム。
【請求項３７】
前記１つ以上の処置センサは、前記馬の内部に埋め込まれる、請求項２７に記載のシステム。
【請求項３８】
前記少なくとも１つの治療パラメータは、心臓活動、呼吸活動、および筋電図活動のうちの少なくとも１つに基づく、馬の活動レベルと関連する、請求項３７に記載のシステム。
【請求項３９】
前記少なくとも１つの治療パラメータは、前記馬の姿勢または活動レベルと関連する、請求項２７に記載のシステム。
【請求項４０】
前記１つ以上の処置センサは、前記馬の活動レベルを検出する加速度計を含む、請求項２７に記載のシステム。
【請求項４１】
前記少なくとも１つの治療パラメータは、前記馬が睡眠または覚醒しているかどうかと関連する、請求項２７に記載のシステム。
【請求項４２】
前記処置信号は、前記少なくとも１つの治療パラメータの規則的な周期的分析の関数である、請求項２７に記載のシステム。
【請求項４３】
前記処置信号は、前記少なくとも１つの治療パラメータの不規則的な非周期的分析の関数である、請求項２７に記載のシステム。
【請求項４４】
前記１つ以上の処置センサは、生理学的状態を連続的または周期的に感知する、請求項２７に記載のシステム。
【請求項４５】
前記ペースメーカープロセッサは、選択された時間間隔において前記少なくとも１つの治療パラメータを獲得する、請求項２７に記載のシステム。
【請求項４６】
前記時間間隔は、前記システムと関連する電源を節約するように選択される、請求項４５に記載のシステム。
【請求項４７】
前記ペースメーカープロセッサは、ユーザインターフェースからのユーザ入力に応答して、前記少なくとも１つの治療パラメータを獲得する、請求項２７に記載のシステム。
【請求項４８】
前記ユーザインターフェースは、前記ユーザからの磁気入力に基づく、請求項４７に記載のシステム。
【請求項４９】
馬の片麻痺の適切な処置を検証するための、処置検証システムであって、
少なくとも１つの治療パラメータの関数として電気処置信号を発生することによって、該少なくとも１つの治療パラメータに応じた該片麻痺を処置するための、ペースメーカープロセッサと、
該馬の上気道組織に該処置信号を送達するために、該上気道組織と接合する１つ以上の刺激電極と、
該ペースメーカープロセッサの動作と関連する少なくとも１つの治療パラメータを、検証可能に監視するための、処置検証モニタと、
を備える、システム。
【請求項５０】
検証可能に監視することは、前記馬に対する誤った処置反応、不利点、または不正な利点を防止するために、要求される処置基準が満たされていること、を検証することを含む、請求項４９に記載のシステム。
【請求項５１】
前記処置検証モニタは、刺激プロトコルの順守を文書化するためのロギングシステムを含む、請求項５０に記載のシステム。
【請求項５２】
検証可能に監視することは、装置が活動中であり、かつ適切に機能していることを検証することを含む、請求項５０に記載のシステム。
【請求項５３】
検証可能に監視することは、賭けに関連する保障措置の順守を検証することを含む、請求項５０に記載のシステム。
【請求項５４】
検証可能に監視するステップは、前記システムの動作を示すための外部信号を発生することを含む、請求項５０に記載のシステム。
【請求項５５】
前記外部信号は、前記システムが動作しているときに活性でありかつ視認可能な、外部光信号を含む、請求項５４に記載のシステム。
【請求項５６】
前記外部信号は、遠隔外部受信機に伝達される外部無線信号を含む、請求項５４に記載のシステム。
【請求項５７】
前記外部信号は、外部で視認可能な効果を発生するように指示筋肉を刺激するための、別個の信号伝達刺激装置によって発生される、請求項５４に記載のシステム。
【請求項５８】
前記指示筋肉は耳介を動かし、その結果として、前記システムが動作しているときには、該耳介が傾くか、または回転する、請求項５７に記載のシステム。
【請求項５９】
電気刺激、刺激によって誘起される組織活動からの電気的生体電位、声帯外転、および、
声帯位置と関連する空気流の変化のうちの、少なくとも１つを感知するための少なくとも１つの処置センサをさらに備える、請求項５０に記載のシステム。
【請求項６０】
前記少なくとも１つの処置センサは、気道音、声門下圧力、および温度のうちの少なくとも１つに基づいて、適切な空気流を監視することによって声帯外転を感知する、請求項５９に記載のシステム。
【請求項６１】
前記少なくとも１つの処置センサは、声帯の変位に基づいて声帯の動きを感知する、請求項５９に記載のシステム。
【請求項６２】
前記声帯の変位は、喉頭組織ひずみゲージ、経声門光感知、喉頭組織インピーダンスの変化、および前記声帯のビデオ観察のうちの、少なくとも１つによって測定される、請求項６１に記載のシステム。
【請求項６３】
前記少なくとも１つの処置センサは、吸気空気流干渉を感知する、請求項５９に記載のシステム。
【請求項６４】
前記少なくとも１つの処置センサは、声門下、気管、または気管外胸郭内のうちの、少なくとも１つと関連する圧力に基づいて、吸気空気流干渉を感知する、請求項６３に記載のシステム。
【請求項６５】
前記少なくとも１つの処置センサは、運動中に非効率的な呼吸を感知する、請求項５９に記載のシステム。
【請求項６６】
前記非効率的な呼吸は、全身的生理的信号に基づいて感知される、請求項６５に記載のシステム。
【請求項６７】
前記全身的生理的信号は、血中酸素の減少とＣＯ２の増加とのうちの、少なくとも１つを含む、請求項６６に記載のシステム。
【請求項６８】
前記少なくとも１つの処置センサは、無線聴診器を含む、請求項５９に記載のシステム。
【請求項６９】
前記少なくとも１つの処置センサは、気管に隣接して前記馬の皮膚に取り付けられるマイクロホン変換器を含む、請求項５９に記載のシステム。
【請求項７０】
遠距離から前記馬の呼吸を監視するために、前記マイクロホン変換器と通信する外部無線送信機をさらに備える、請求項６９に記載のシステム。
【請求項７１】
馬の片麻痺を処置するための、軸索治療システムであって、
該馬の上気道の標的組織の電気刺激に基づく軸索処置治療を提供することによって、該片麻痺を処置するための、ペースメーカープロセッサと、
インターフェースモジュールを神経組織に接続するための、１つ以上の軸索電極と、
を備える、システム。
【請求項７２】
前記標的組織は、気道構造の１つ以上の神経を含む、請求項７１に記載のシステム。
【請求項７３】
前記１つ以上の神経は、前記気道構造の１つ以上の運動神経を含む、請求項７２に記載のシステム。
【請求項７４】
前記１つ以上の神経は、前記気道構造の１つ以上の感覚神経を含む、請求項７２に記載のシステム。
【請求項７５】
前記１つ以上の神経は、前記馬の反回喉頭神経を含む、請求項７２に記載のシステム。
【請求項７６】
前記電気刺激は、前記反回喉頭神経の外転筋枝の軸索の地理的刺激を含む、請求項７５に記載のシステム。
【請求項７７】
前記標的組織は、気道組織と関連する筋肉組織を含む、請求項７１に記載のシステム。
【請求項７８】
前記筋肉組織は、輪状披裂筋組織を含む、請求項７７に記載のシステム。
【請求項７９】
前記輪状披裂筋組織は、後輪状披裂筋組織を含む、請求項７８に記載のシステム。
【請求項８０】
標的組織の電気刺激は、声帯組織を外転させることを含む、請求項７１に記載のシステム。
【請求項８１】
前記外転させることは、強力な外転を含む、請求項８０に記載のシステム。
【請求項８２】
前記標的組織は、披裂軟骨を含む、請求項８０に記載のシステム。
【請求項８３】
前記電気刺激は、二相性波形を使用する、請求項７１に記載のシステム。
【請求項８４】
前記波形は、負である、請求項８３に記載のシステム。
【請求項８５】
前記電気刺激は、軸索再生を促進する、請求項７１に記載のシステム。
【請求項８６】
前記電気刺激は、軸索変性を遅らせる、請求項７１に記載のシステム。
【請求項８７】
前記電気刺激は、前記片麻痺の発症前に軸索変性を防止する、請求項７１に記載のシステム。
【請求項８８】
前記電気刺激は、閾値以下であり、筋繊維の活性化を引き起こさない、請求項７１に記載のシステム。